(57)【要約】      （修正有）【課題】取り外し容易性を維持しつつ盗難または悪戯を防止可能な電子装置を提供する。【解決手段】電子装置１は、操作部と可動部を有する筐体と、筐体を装着可能な取付面及び可動部と係合する係合部を有する筐体支持体とを有し、筐体支持体への筐体の装着時に、可動部は、筐体及び筐体支持体によって覆い隠され、かつ筐体と筐体支持体とが取り外し不可能なように係合部と係合し、操作部の解錠入力に応じて、係合部との係合状態が解除される。【選択図】図１
2017107901.tif 000002
【特許請求の範囲】
【請求項１】
１つの面に操作入力を受け付ける第１の操作部を有し他の面に可動部を有する筐体と、
前記筐体を装着可能な取付面及び前記可動部と係合する係合部を前記取付面に有する筐体支持体と、を有し、
前記筐体支持体への前記筐体の装着時に、前記可動部は、前記筐体及び前記筐体支持体によって覆い隠され、かつ前記可動部は前記筐体と前記筐体支持体とが取り外し不可能なように前記係合部と係合し、
前記第１の操作部に対する解錠入力に応じて、前記可動部と前記係合部との当該係合状態が解除されることを特徴とする電子装置。
【請求項２】
前記筐体は、前記他の面に凹部を有し、前記筐体支持体の前記係合部は前記凹部に挿入可能な突出形状を有しており、前記凹部内において前記可動部と前記係合部とが係合することを特徴とする請求項１に記載の電子装置。
【請求項３】
前記筐体支持部は、前記装着時に前記筐体の移動を拘束する拘束部を有することを特徴とする請求項１または２に記載の電子装置。
【請求項４】
前記拘束部は、前記装着時に前記筐体を１の摺動方向において摺動自在に支持し、前記可動部が前記係合状態にある限り、前記筐体は前記１の摺動方向において移動不可能であることを特徴とする請求項３に記載の電子装置。
【請求項５】
前記筐体の前記他の面に前記装着時に前記筐体支持体によって覆い隠されておりかつ前記第１の操作部の操作入力とは異なった操作入力を受け付ける第２の操作部を有することを特徴とする請求項１乃至４のいずれか１に記載の電子装置。
【請求項６】
前記筐体の前記１つの面に表示部を有することを特徴とする請求項１乃至５のいずれか１に記載の電子装置。
【請求項７】
前記筐体は電子機能部を含み、前記他の面には前記電子機器の電池交換口が設けられていることを特徴とする請求項１乃至６の何れか１に記載の電子装置。
【請求項８】
前記電子装置は、車載用装置であることを特徴とする請求項１乃至７のいずれか１に記載の電子装置。
【請求項９】
前記電子機能部は、ナビゲーション装置であることを特徴とする請求項１乃至８のいずれか１に記載の電子装置。
【請求項１０】
前記電子機能部は、リモートコントローラであることを特徴とする請求項１乃至７のいずれか１に記載の電子装置。
【発明の詳細な説明】
【技術分野】
【０００１】
本発明は、電子装置に関する。
【背景技術】
【０００２】
近年、例えば、自動車等の移動体または建物の壁面等に取り外し可能に取り付けられる電子装置が用いられている。例えば、特許文献１には、車両に対して着脱自在な携帯端末装置が開示されている。
【先行技術文献】
【特許文献】
【０００３】
【特許文献１】特開2014-205376号公報
【発明の概要】
【発明が解決しようとする課題】
【０００４】
これらの電子装置は、その取り外し可能な性質の故に、盗難または悪戯に遭う可能性が高い。また、盗難を防止すべく、例えば、移動体または建物の壁面等にネジ等の固定具や専用の治具を用いて固定を行うと、電子装置の取り外し容易性を損なってしまう。
【０００５】
本発明は上記した点に鑑みてなされたものであり、取り外し容易性を維持しつつ盗難または悪戯を防止可能な電子装置を提供することを課題の一例としている。
【課題を解決するための手段】
【０００６】
請求項１に記載の発明は、１つの面に第１の操作部を有し他の面に可動部を有する筐体と、前記筐体を装着可能な取付面及び前記可動部と係合する係合部を前記取付面に有する筐体支持体と、を有し、前記筐体支持体への前記筐体の装着時に、前記可動部は、前記筐体及び前記筐体支持体によって覆い隠され、かつ前記可動部は前記筐体と前記筐体支持体とが取り外し不可能なように前記係合部と係合し、前記第１の操作部に対する解錠入力に応じて、前記可動部と前記係合部との当該係合状態が解除されることを特徴とする電子装置である。
【図面の簡単な説明】
【０００７】
【図１】実施例１の電子装置の取付例を示す図である。
【図２】実施例１の電子機器の斜視図である。
【図３】実施例１の取付部材の斜視図である。
【図４】実施例１の電子装置の１つの状態を示す斜視図である。
【図５】実施例１の電子装置の動作ルーチンを示す図である。
【図６】実施例２の電子装置表示装置の取付例を示す図である。
【図７】実施例２の電子機器の前方斜視図である。
【図８】実施例２の電子機器の後方斜視図である。
【図９】実施例２の取付部材の斜視図である。
【図１０】実施例３の電子機器の前方斜視図である。
【図１１】実施例３の電子機器の後方斜視図である。
【図１２】実施例３の取付部材の斜視図である。
【図１３】変形例の電子機器の斜視図である。
【発明を実施するための形態】
【０００８】
以下において、本発明の好適な実施例について説明する。しかし、これらを適宜改変し、組み合わせてもよい。また、以下の説明及び添付図面において、実質的に同一又は等価な部分には同一の参照符を付して説明する。
【実施例１】
【０００９】
以下に本発明の実施例１について詳細に説明する。以下の説明においては、電子装置を自動車等の移動体に搭載する例について説明する。
【００１０】
図１は、自動車の前席周りの様子を示した図である。図１には、電子機器１０の取付例を示している。電子機器１０は、例えば車載用のカーナビゲーション装置、オーディオ装置等である。
【００１１】
図１のように、電子機器１０は、自動車の前席のセンターコンソールＣＣ内のスロットＳＬに、図中の白抜き矢印方向に挿入することで自動車に取り付ける。スロットＳＬ内には、筐体支持体としての取付部材３０が設けられている。電子機器１０は、取付部材３０に係合させられて装着されることで、スロットＳＬ内に固定される。すなわち、電子機器１０と取付部材３０とで、互いに着脱可能な構造を有する電子装置１が形成されている。
【００１２】
図２は、電子機器１０の斜視図である。電子機器１０は、略直方体の形状の中空の筐体１１からなっている。筐体１１の長手方向と垂直な面の一方は、１つの面としての通常操作面１３となっている。通常操作面１３には、使用者に情報を提示する表示部１３Ａ及び電子機器１０が取付部材３０に装着されている際に行われる通常の操作を受け付ける第１の操作部としての主入力部１３Ｂ（図中一点鎖線内）が設けられている。表示部１３Ａは、例えば、液晶表示装置からなっている。主入力部１３Ｂは、例えば、数字キーまたは方向キー等の１または複数のボタンからなっている。
【００１３】
筐体１１の長手方向に沿った面のうちの１つ、すなわち通常操作面１３と垂直な面の１つは、他の面としての取付面１５となっている。取付面１５には、取付面１５の中央から伸長する溝部１５Ａが設けられている。溝部１５Ａは、取付面１５の中央から、通常操作面１３と反対側の面に達するまで伸長している直方体凹部構造を形成している。溝部１５Ａの通常操作面１３及び取付面１５と垂直な２つの面の各々には、互いに対向するように開口部Ｈが形成されている。
【００１４】
一方の開口部Ｈの近傍には、施錠機能部１７が設けられている。施錠機能部１７は、可動部としての円柱状のピンである閂部材１７Ａと当該閂部材を駆動する駆動部１７Ｂとを有している。閂部材１７Ａは、対向する２つの開口部の間の距離、すなわち、溝部１５Ａの幅よりも長い長さを有している。すなわち閂部材１７Ａは、一方の開口部から他方の開口部に向かっての２つの開口部を貫通して突出することが可能となっている。
【００１５】
駆動部１７Ｂは、例えばソレノイドである。閂部材１７Ａは、ソレノイドの可動鉄心（ブランジャー）に取り付けられ、当該閂部材１７Ａの円柱軸方向に移動させられる。駆動部１７Ｂは、閂部材１７Ａを開口部Ｈの両方を貫通して突出している突出位置と、筐体１１内に引き込まれている引込位置との間で移動させる。
【００１６】
電子機能部としての制御部１９は、ＣＰＵ及びメモリ等を有し、ルーチン等を実行可能であり、電源としても機能する機能部である。制御部１９は、例えば、ナビゲーション装置もしくはオーディオ装置として機能するか、または様々な装置のリモートコントローラとして機能する。
【００１７】
制御部１９は、表示部１３Ａと通信可能に接続され、表示部１３Ａに様々な告知表示を行うことが可能である。また、制御部１９は、主入力部１３Ｂと通信可能に接続され、主入力部１３Ｂへの操作入力に基づいて、様々な処理を行うことが可能である。
【００１８】
また、制御部１９は、施錠機能部１７と通信可能にかつ電力供給可能に接続されている。施錠機能部１７は、筐体１１内の任意の位置に配される制御部１９に接続され、制御部１９からの電力によってその動作が制御される。例えば、駆動部１７Ｂがソレノイドである場合、通常時、すなわち制御部１９から駆動部１７Ｂに電力が供給されていない場合、駆動部１７Ｂの可動鉄心は突出状態になっている。この際、閂部材１７Ａは、２つの開口部Ｈを貫通するように突出している突出位置にある（図２の状態）。
【００１９】
動作時、すなわち制御部１９から駆動部１７Ｂに電力が供給されると、駆動部１７Ｂの可動鉄心は吸引状態にされる。この際、閂部材１７Ａは、駆動部１７Ｂに向かって引き込まれ、施錠機能部１７近傍の一方の開口部Ｈから筐体１１内に引き込まれた引込位置にある。すなわち、この際、閂部材１７Ａは筐体１１内から溝部１５Ａに向かって突出していない。
【００２０】
第２の操作部としての副入力部２１（図中一点鎖線内）は、取付面１５の任意の領域に形成されている。副入力部２１は、例えば、１または複数のボタンからなっている。副入力部２１は、例えば、主入力部１３Ｂとは異なる操作に関する入力を受け付ける。例えば、副入力部２１は、電子機器１０の初期設定、リセットやその他の重要な設定に関する入力を行うための入力部であってもよい。
【００２１】
図３は、取付部材３０の斜視図である。図３においては、電子機器１０と取付部材３０の取付状態の理解を容易にすべく、取付部材３０に取り付けられた際の電子機器１０を破線で示す。また、電子機器１０のうち、施錠機能部１７のみは実線で示している。また、電子機器１０の構成のうち、取付面１５に設けられている構造、すなわち溝部１５Ａ及び開口部Ｈは、図の明瞭さのため図示していない。
【００２２】
基部３１は、矩形の平面形状を有する板状の部材である。基部３１は、その一方の面が電子機器１０を装着する装着面３３となっている。すなわち、電子機器１０が取付部材３０に装着される際、取付面１５（図２参照）と装着面３３とが向かい合って接するようになされる。従って、当該装着状態下において、副入力部２１は、装着面３３によって覆い隠され、操作不能になっている。
【００２３】
基部３１には、基部３１を貫通する取付孔３５が設けられている。取付孔３５には、例えば、取付部材３０をスロットＳＬに取り付ける際にネジ等の固定具が挿入される。取付孔３５は、図示するように、例えば、基部３１の四隅に１つずつ、合わせて４つ形成することとしてもよい。基部３１は、スロットＳＬにネジまたは専用の治具等を用いて強固に接合されているのが好ましい。
【００２４】
基部３１の装着面３３には、装着面３３から垂直方向に突出している係合部としての突出部３７が設けられている。突出部３７は、装着面３３中央から基部３１の長手方向に伸長して、装着面３３の１の辺まで達している。突出部３７は、電子機器１０の溝部１５Ａに対応する形状を有している。すなわち、突出部３７は、溝部１５Ａの直方体凹部形状とほぼ同一形状の直方体凸部形状を有している。
【００２５】
なお、突出部３７は、電子機器１０を取付部材３０に装着する際に、溝部１５Ａ内に挿入（嵌入）可能なように、溝部１５Ａが形成する直方体凹部形状よりもやや小さい直方体凸部形状を有している。すなわち、電子機器１０を取付部材３０に装着した際、突出部３７の全体が溝部１５Ａ内に嵌まり込み、突出部３７の側面が装着面３３の端部の領域を除いて、溝部１５Ａによって外部から覆い隠される。
【００２６】
さらに、この嵌め込み構造の故に、電子機器１０の装着時、突出部３７は溝部１５Ａと係合して、拘束部として電子機器１０の基部３１の板面方向への移動を拘束している。なお、電子機器１０を取付部材３０に装着した際には、取付面１５と装着面３３とが密着してもよい。
【００２７】
突出部３７には、基部３１の表面と平行な方向において突出部を貫通している挿入孔３７Ａが設けられている。挿入孔３７Ａは、電子機器１０を取付部材３０に装着した際に、すなわち突出部３７が溝部１５Ａに嵌め込まれた際に、溝部１５Ａの開口部Ｈと重なる位置に形成されている。
【００２８】
従って、図示したように、電子機器１０を取付部材３０に装着した際、閂部材１７Ａは、挿入孔３７Ａに挿入され得る。すなわち、電子機器１０を取付部材３０に装着した際、閂部材１７Ａは、一方の開口部Ｈ、挿入孔３７Ａ及び他方の開口部Ｈを通り抜けて突出することが可能となっている。
【００２９】
上述のように、電子機器１０を取付部材３０に装着した際、突出部３７の全体が溝部１５Ａ内に嵌まり込みむようになっている。従って、電子機器１０を取付部材３０に装着した際には、閂部材１７Ａ及び挿入孔３７Ａは電子機器１０の取付面１５及び取付部材３０の装着面３３によって外部から覆い隠されている。
【００３０】
よって、電子機器１０を取付部材３０に装着している際には、外部から挿入孔３７Ａ及び挿入孔３７Ａに挿入されている閂部材１７Ａにアクセスすることは困難である。すなわち、電子機器１０と取付部材３０と施錠固定するための係合部分である閂部材１７Ａ及び挿入孔３７Ａとの係合部分に、外部からアクセスすることは困難である。
【００３１】
電子機器１０が取付部材３０に装着されている際、閂部材１７Ａが突出位置にあり、挿入孔３７Ａに挿入されている限り、すなわち、挿入孔３７Ａを介して閂部材１７Ａと突出部３７が係合している限り、電子機器１０と取付部材３０とは脱離不能である。言い換えれば、制御部１９から施錠機能部１７に電力が供給されない限り、閂部材１７Ａは突出位置に維持され、電子機器１０を取付部材３０とは脱離不能である。この脱離不能な状態を施錠状態と称する。
【００３２】
図４に、閂部材１７Ａが引込位置にある場合の電子機器１０と取付部材３０の状態の斜視図を示す。閂部材１７Ａが引込位置にある場合、閂部材１７Ａは挿入孔３７Ａから引き抜かれた状態となり、閂部材１７Ａと突出部３７とは非係合の状態となる。すなわち、制御部１９から施錠機能部１７に電力が供給され、閂部材１７Ａが引込位置に持ち来されると、電子機器１０と取付部材３０との係合が解除され脱離可能となる。この脱離可能な状態を解錠状態と称する。
【００３３】
ここで、制御部１９の動作及びそれに伴う施錠機能部１７の動作について説明する。上述のように、通常時、制御部１９は、施錠機能部１７に電力を供給していない。従って、駆動部１７Ｂは駆動せず、閂部材１７Ａは突出位置にある。すなわち、この際、電子機器１０が取付部材３０に装着されている場合には、これらが脱離不可能な施錠状態となっている。
【００３４】
この状態において、主入力部１３Ｂに予め定められた特定の入力がなされると、制御部１９は施錠機能部１７に電力の供給を開始する。この電力供給により、駆動部１７Ｂが駆動し、閂部材１７Ａが引込位置に持ち来されて、閂部材１７Ａと突出部３７との係合が解除される。これによって、電子機器１０が取付部材３０に装着されている場合には、これらが脱離可能な解錠状態にされる。
【００３５】
なお。当該特定の入力は、主入力部にテンキー等の数字キーボタンが含まれている場合には、数字の組み合わせからなる暗号（暗証番号）の入力であってもよい。また、主入力部に数字、文字、記号等に対応するキーボタンが設けられている場合、当該特定の入力は、数字、文字もしくは記号等またはこれらの組み合わせからなる暗号の入力であってもよい。
【００３６】
また、主入力部に、数字、文字または記号等に対応するキーボタンが設けられておらず、電子機器１０の通常の操作に関する操作ボタンのみが設けられている場合も考えられる。この場合には、当該特定の入力は、当該操作ボタンを特定の順序で押すことによる入力または当該操作ボタンの長押し等の入力であってもよい。これら、閂部材１７Ａを引込位置に持ち来すべくなされる特定の入力を解錠入力と称する。
【００３７】
なお、主入力部１３Ｂに解錠入力がなされて閂部材１７Ａが引込位置に持ち来された後において、解錠入力と同一かまたは異なる特定の入力がなされると、制御部１９は、施錠機能部１７への電力の供給を停止し、閂部材１７Ａは突出位置に戻る。この閂部材１７Ａを引込位置に持ち来すべくなされる特定の入力を施錠入力と称する。この施錠入力は、施錠のための入力であるので、解錠入力よりも簡易な入力であり得る。すなわち、施錠入力は、解錠入力よりも簡単な暗号入力または操作入力であり得る。
【００３８】
図５に、閂部材１７Ａを突出位置と引込位置とに移動させるために制御部１９において実行されるルーチンを示す。まず、ステップＳ１において、主入力部１３Ｂに入力があったかどうかが判定される。入力がない場合（ステップＳ１：ＮＯ）、その後ルーチンは終了する。ステップＳ１において入力があったと判定された場合（ステップＳ１：ＹＥＳ）、処理はステップＳ２に進む。
【００３９】
ステップＳ２においては、閂部材１７Ａが突出位置にあるか否かが判定される。突出位置にある場合（ステップＳ２：ＹＥＳ）、処理はステップＳ３に進む。ステップＳ３においては、主入力部１３Ｂになされた入力が、解錠入力と一致するか否かが判定される。
【００４０】
ステップＳ３において、当該入力が解錠入力と一致すると判定された場合（ステップＳ３：ＹＥＳ）、処理はステップＳ４に進み、施錠機能部１７への電力供給が開始される。すなわち、閂部材１７Ａが引込位置に持ち来される。ステップＳ３において、当該入力が解錠入力と一致しないと判定された場合（ステップＳ３：ＮＯ）ルーチンはその後終了する。
【００４１】
ステップＳ２において、閂部材が突出位置にない、すなわち引込位置にあると判定された場合（ステップＳ２：ＮＯ）、処理はステップＳ５に進み、主入力部１３Ｂになされた上記入力が施錠入力と一致するか否かが判定される。ステップＳ５において、当該入力が施錠入力と一致すると判定された場合（ステップＳ５：ＹＥＳ）、施錠機能部１７への電力供給が停止される。すなわち、閂部材１７Ａが突出位置に持ち来される。ステップＳ５において、当該入力が施錠入力と一致しないと判定された場合（ステップＳ５：ＮＯ）、その後ルーチンは終了する。
【００４２】
上記ルーチンでは施錠入力がなされなければ施錠状態にならないこととしたが、解錠状態になった後、一定時間経過後に自動的に施錠機能部１７への電源供給を遮断して、施錠状態にすることとしてもよい。
【００４３】
本実施例の電子装置によれば、電子機器１０の主入力部１３Ｂに予め定められた特定の入力を行わないと、電子機器１０と取付部材３０との施錠固定が解除されない。従って、当該特定の入力を知り得る特定の者のみが電子機器１０を取り外すことが可能となり、電子機器の盗難を防止することが可能である。
【００４４】
また、本実施例の電子装置によれば、電子機器１０を取付部材３０に装着している際に、これらを互いに施錠固定するための係合部分である閂部材１７Ａ及び挿入孔３７Ａとの係合部分に、外部からアクセスすることは困難である。すなわち、外部から器具をもって電子機器１０を取付部材３０から取り外すことは困難であり、器具を用いた電子機器の盗難を防止することが可能である。
【００４５】
また、本実施例の電子装置によれば、通常操作面と異なる面である取付面に副入力部２１が設けられている。上述のように、電子機器１０を取付部材３０に装着している際に、副入力部２１は取付面１５と向かい合う装着面３３によって外部から覆い隠される。すなわち、副入力部２１への入力は、電子機器１０を取付部材３０から取り外さなければ行うことが出来ない。
【００４６】
従って、例えば、副入力部２１によって、特別な操作（機器のリセット、重要な設定等）を行うことができることとした際には、当該特別な操作は、電子機器１０を取付部材３０から取り外すことができる者しか行えない。すなわち、上記施錠固定を解除する特定の入力を知るものでなければ、当該特別な操作を行えない。従って、当該特別な操作を行うべき者のみに当該特定の入力を教えておくことで、不特定人が当該特別な操作を行うことを防止することができる。
【実施例２】
【００４７】
以下に本発明の実施例２について詳細に説明する。以下の説明においては、電子装置を自動車に搭載する例について説明する。
【００４８】
図６は、自動車の前席周りの様子を示した図である。図６には、電子機器１０Ａの取付例を示している。電子機器１０Ａは、例えば車載用のディスプレイ装置またはカーナビゲーション装置を内蔵したディスプレイ装置等である。
【００４９】
図６に示すように、電子機器１０Ａは、自動車の前席のダッシュボードＤＢ上に支持アームＳＰを介して支持されている筐体支持体としての取付部材３０Ａに、図中の白抜き矢印方向にスライドさせられて装着されることで自動車に取り付けられる。
【００５０】
電子機器１０Ａは、取付部材３０Ａに係合させられて装着されることで、ダッシュボードＤＢ上において固定される。すなわち、電子機器１０Ａと取付部材３０Ａとが互いに着脱可能な構造を有する電子装置２が形成されている。
【００５１】
図７は、電子機器１０Ａの前方斜視図である。実施例１の電子機器１０と同様に、電子機器１０Ａは、略直方体の形状の中空の筐体１１からなっている。筐体１１の１つの面は、通常操作面１３となっている。通常操作面１３には、使用者に情報を提示する表示部１３Ａ及び電子機器１０の機能を発揮させるための通常の操作を受け付ける第１の操作部としての主入力部１３Ｂ（図中一点鎖線内）が設けられている。表示部１３Ａは、例えば、液晶表示装置からなっている。主入力部１３Ｂは、例えば、数字キーまたは方向キー等の１または複数のボタンからなっている。
【００５２】
図８は、電子機器１０Ａの後方斜視図である。筐体１１の通常操作面１３の反対側の面は、他の面としての取付面１５となっている。実施例１の電子機器１０と同様に、取付面１５には、取付面１５の中央から伸長する溝部１５Ａが設けられている。溝部１５Ａは、取付面１５の中央から、取付面１５の一辺に達するまで伸長している直方体凹部構造を形成している。溝部１５Ａの伸長方向に沿いかつ取付面１５と垂直な２つの面の各々には、互いに対向するように開口部Ｈが形成されている。
【００５３】
実施例１の電子機器１０と同様に、一方の開口部Ｈの近傍には、施錠機能部１７が設けられている。施錠機能部１７は、可動部としての円柱状のピンである閂部材１７Ａと当該閂部材を駆動する駆動部１７Ｂとを有している。閂部材１７Ａは、対向する２つの開口部Ｈの間の距離、すなわち、溝部１５Ａの幅よりも長い長さを有している。すなわち閂部材１７Ａは、一方の開口部Ｈから他方の開口部Ｈに向かっての２つの開口部を貫通して突出することが可能となっている。
【００５４】
駆動部１７Ｂは、例えばソレノイドである。閂部材１７Ａは、ソレノイドの可動鉄心（ブランジャー）に取り付けられ、当該閂部材１７Ａの円柱軸方向に移動させられる。駆動部１７Ｂは、閂部材１７Ａを開口部Ｈの両方を貫通して突出している突出位置と、筐体１１内に引き込まれている引込位置との間で移動させる。
【００５５】
電子機能部としての制御部１９は、ＣＰＵ及びメモリ等を有し、ルーチン等を実行可能であり、電源としても機能する機能部である。制御部１９は、例えば、ナビゲーション装置もしくはオーディオ装置として機能するか、または様々な装置のリモートコントローラとして機能する。
【００５６】
制御部１９は、表示部１３Ａと通信可能に接続され、表示部１３Ａに様々な告知表示を行うことが可能である。また、制御部１９は、主入力部１３Ｂと通信可能に接続され、主入力部１３Ｂへの操作入力に基づいて、様々な処理を行うことが可能である。
【００５７】
また、制御部１９は、施錠機能部１７と通信可能にかつ電力供給可能に接続されている。施錠機能部１７は、筐体１１内の任意の位置に配される制御部１９に接続され、制御部１９からの電力によってその動作が制御される。例えば、駆動部１７Ｂがソレノイドである場合、通常時、すなわち制御部１９から駆動部１７Ｂに電力が供給されていない場合、駆動部１７Ｂの可動鉄心は突出状態になっている。この際、閂部材１７Ａは、２つの開口部Ｈを貫通するように突出している突出位置にある（図８の状態）。
【００５８】
動作時、すなわち制御部１９から駆動部１７Ｂに電力が供給されると、駆動部１７Ｂの可動鉄心は吸引状態にされる。この際、閂部材１７Ａは、駆動部１７Ｂに向かって引き込まれ、施錠機能部１７近傍の一方の開口部Ｈから筐体１１内に引き込まれた引込位置にある。すなわち、この際、閂部材１７Ａは筐体内から溝部に向かって突出していない。
【００５９】
第２の操作部としての副入力部２１（図中一点鎖線内）は、取付面１５の任意の領域に形成されている。副入力部２１は、例えば、１または複数のボタンからなっている。副入力部２１は、主入力部１３Ｂとは異なる操作に関する入力を受け付ける。副入力部２１は、例えば、電子機器１０Ａの初期設定、リセットやその他の重要な設定に関する入力を行うための入力部であってもよい。
【００６０】
図９は、取付部材３０Ａの斜視図である。図９においては、電子機器１０Ａと取付部材３０Ａの取付状態の理解を容易にすべく、取付部材３０Ａに取り付けられた際の電子機器１０Ａを破線で示す。また、電子機器１０Ａのうち、施錠機能部１７のみは実線で示している。また、電子機器１０Ａの構成のうち、取付面１５に設けられている構造、すなわち溝部１５Ａ、開口部Ｈ及び副入力部２１は、図の明瞭さのため図示していない。
【００６１】
基部３１は、矩形の平面形状を有する板状の部材である。基部３１は、その一方の面が電子機器１０Ａが装着される装着面３３となっている。すなわち、電子機器１０Ａが取付部材３０Ａに装着される際、取付面１５と装着面３３とが向かい合って接するようになされる。従って、当該装着状態下において、副入力部２１は、装着面３３によって覆い隠され、操作不能になっている。
【００６２】
基部３１の装着面３３と反対側の面には、支持アームＳＰが固定されている。支持アームＳＰは、接着剤またはネジ等によって基部３１と固定されていてもよい。また、基部３１と支持アームＳＰは一体的に（ワンピースで）形成されていてもよい。
【００６３】
基部３１には、装着面３３の向かい合う２つの辺から装着面３３に対して垂直に立ち上がっているガイド部３１Ｇが形成されている。すなわち、ガイド部３１Ｇは、互いに向かい合って平行に、上記基部３１の向かい合う２つの辺に沿って各々伸長している。
【００６４】
拘束部としてのガイド部３１Ｇは、その先端において、鉤型に折曲している折曲部Ｂを有している。図示するように、基部３１の装着面３３、２つのガイド３１Ｇの互いに対向する２面及び折曲部Ｂによって囲まれる領域は、電子機器１０Ａの筐体１１に対応した寸法となっている。すなわち、電子機器１０Ａを取付部材３０Ａに装着面３３及び２つガイド３１Ｇの互いに対向する２面内に収容可能になっている。
【００６５】
従って、電子機器１０Ａを取付部材３０Ａに装着する際に、電子機器１０Ａは、装着面３３及びガイド３１Ｇの互いに対向する２面に沿った方向のスライド移動のみが許容されている。
【００６６】
基部３１の装着面３３には、装着面３３から垂直方向に突出している係合部としての突出部３７が設けられている。突出部３７は、装着面３３中央から、ガイド部３１の伸長方向にそって伸長して、装着面３３の１の辺まで達している。突出部３７は、電子機器１０Ａの溝部１５Ａに対応する形状を有している。すなわち、突出部３７は、溝部１５Ａの直方体凹部形状とほぼ同一形状の直方体凸部形状を有している。
【００６７】
なお、突出部３７は、電子機器１０Ａを取付部材３０Ａに装着する際に、溝部１５Ａ内に挿入（嵌入）可能なように、溝部１５Ａが形成している直方体凹部構造よりもやや小さい直方体凸部形状を有している。すなわち、電子機器１０Ａを取付部材３０Ａに装着した際、突出部３７の全体が溝部１５Ａ内に嵌まり込み、突出部３７の側面が装着面３３の端部上の領域を除いて、溝部１５Ａによって外部から覆い隠される。
【００６８】
さらに、この嵌め込み構造の故に、電子機器１０Ａの装着時、突出部３７は溝部１５Ａと係合して、拘束部として電子機器１０Ａの基部３１の板面方向への移動を拘束している。なお、電子機器１０Ａを取付部材３０Ａに装着した際には、この際、取付面１５と装着面３３とが密着してもよい。
【００６９】
突出部３７には、基部３１の表面と平行な方向において突出部３７を貫通している挿入孔３７Ａが設けられている。挿入孔３７Ａは、電子機器１０Ａを取付部材３０Ａに装着した際に、溝部１５Ａの開口部Ｈと重なる位置に形成されている。従って、図示したように、電子機器１０Ａを取付部材３０Ａに装着した際、閂部材１７Ａは、挿入孔３７Ａに挿入され得る。すなわち、電子機器１０Ａを取付部材３０Ａに装着した際、閂部材１７Ａは、一方の開口部Ｈ、挿入孔３７Ａ及び他方の開口部Ｈを通り抜けて突出することが可能となっている。
【００７０】
実施例１の場合と同様に、電子機器１０Ａを取付部材３０Ａに装着した際、突出部３７の全体が溝部１５Ａ内に嵌まり込みむようになっている。従って、電子機器１０Ａを取付部材３０Ａに装着した際には、挿入孔３７Ａは電子機器１０Ａの取付面１５によって外部から覆い隠されている。
【００７１】
よって、電子機器１０Ａを取付部材３０Ａに装着している際には、外部から挿入孔１７Ａ及び挿入孔１７Ａに挿入されている閂部材１７Ａにアクセスすることは困難である。すなわち、電子機器１０Ａと取付部材３０Ａと施錠固定するための係合部分である閂部材１７Ａ及び挿入孔３７Ａとの係合部分に、外部からアクセスすることは困難である。
【００７２】
電子機器１０Ａが取付部材３０Ａに装着されている際、閂部材１７Ａが突出位置にあり、挿入孔３７Ａに挿入されている限り、すなわち、挿入孔３７Ａを介して閂部材１７Ａと突出部３７が係合している限り、電子機器１０Ａと取付部材３０Ａとは脱離不能である。言い換えれば、制御部１９から施錠機能部１７に電力が供給されない限り、閂部材１７Ａは突出位置に維持され、電子機器１０Ａを取付部材３０Ａとは脱離不能である。この脱離不能な状態を施錠状態と称する。
【００７３】
閂部材１７Ａが引込位置にある場合、閂部材１７Ａは挿入孔３７Ａから引き抜かれた状態となり、閂部材１７Ａと突出部３７とは非係合の状態となる。すなわち、制御部１９から施錠機能部１７に電力が供給され、閂部材１７Ａが引込位置に持ち来されると、電子機器１０Ａと取付部材３０Ａとの係合が解除され脱離可能となる。この脱離可能な状態を解錠状態と称する。
【００７４】
ここで、制御部１９の動作及びそれに伴う施錠機能部１７の動作について説明する。上述のように、通常時、制御部１９は、施錠機能部１７に電力を供給していない。従って、駆動部１７Ｂは駆動せず、閂部材１７Ａは突出位置にある。すなわち、この際、電子機器１０Ａが取付部材３０Ａに装着されている場合には、これらが脱離不可能な施錠状態となっている。
【００７５】
この状態において、主入力部１３Ｂに予め定められた特定の入力がなされると、制御部１９は施錠機能部１７に電力の供給を開始する。この電力供給により、駆動部１７Ｂが駆動し、閂部材１７Ａが引込位置に持ち来されて、閂部材１７Ａと突出部３７との係合が解除される。これによって、電子機器１０Ａが取付部材３０Ａに装着されている場合には、これらが脱離可能な解錠状態にされる。
【００７６】
なお。当該特定の入力は、主入力部にテンキー等の数字キーボタンが含まれている場合には、数字の組み合わせからなる暗号（暗証番号）の入力であってもよい。また、主入力部に数字、文字、記号等に対応するキーボタンが設けられている場合、当該特定の入力は、数字、文字もしくは記号等またはこれらの組み合わせからなる暗号の入力であってもよい。
【００７７】
また、主入力部に、数字、文字または記号等に対応するキーボタンが設けられておらず、電子機器１０Ａの通常の操作に関する操作ボタンのみが設けられている場合も考えられる。この場合には、当該特定の入力は、当該操作ボタンを特定の順序で押すことによる入力または当該操作ボタンの長押し等の入力であってもよい。これら、閂部材１７Ａを引込位置に持ち来すべくなされる特定の入力を解錠入力と称する。
【００７８】
なお、主入力部１３Ｂに解錠入力がなされて閂部材１７Ａが引込位置に持ち来された後において、解錠入力と同一かまたは異なる特定の入力がなされると、制御部１９は、施錠機能部１７への電力の供給を停止し、閂部材１７Ａは突出位置に戻る。この閂部材１７Ａを引込位置に持ち来すべくなされる特定の入力を施錠入力と称する。この施錠入力は、施錠のための入力であるので、解錠入力よりも簡易な入力であり得る。すなわち、施錠入力は、解錠入力よりも簡単な暗号入力または操作入力であり得る。
【００７９】
閂部材１７Ａを突出位置と引込位置とに移動させるために制御部１９において実行されるルーチンには、例えば、実施例１において図５を参照して説明したルーチン等を用いることができる。
【００８０】
本実施例の電子装置によれば、実施例１の電子装置１と同様に、電子機器１０Ａの主入力部１３Ｂに予め定められた特定の入力を行わないと、電子機器１０Ａと取付部材３０Ａとの施錠固定が解除されない。従って、当該特定の入力を知り得る特定の者のみが電子機器１０Ａを取り外すことが可能となり、電子機器の盗難を防止することが可能である。
【００８１】
また、本実施例の電子装置によれば、電子機器１０Ａを取付部材３０Ａに装着している際に、これらを互いに施錠固定するための係合部分である閂部材１７Ａ及び挿入孔３７Ａとの係合部分に、外部からアクセスすることは困難である。すなわち、外部から器具をもって電子機器１０Ａを取付部材３０Ａから取り外すことは困難であり、器具を用いた電子機器の盗難を防止することが可能である。
【００８２】
また、本実施例の電子装置によれば、通常操作面と異なる面である取付面に副入力部２１が設けられている。上述のように、電子機器１０Ａを取付部材３０Ａに装着している際に、副入力部２１は取付面１５と向かい合う装着面３３によって外部から覆い隠される。すなわち、副入力部２１への入力は、電子機器１０Ａを取付部材３０Ａから取り外さなければ行うことが出来ない。
【００８３】
従って、例えば、副入力部２１によって、特別な操作（機器のリセット、重要な設定等）を行うことができることとした際には、当該特別な操作は、電子機器１０Ａを取付部材３０Ａから取り外すことができる者しか行えない。すなわち、上記施錠固定を解除する特定の入力を知るものでなければ、当該特別な操作を行えない。従って、当該特別な操作を行うべき者のみに当該特定の入力を教えておくことで、不特定人が当該特別な操作を行うことを防止することができる。
【００８４】
さらに、実施例２の電子装置２によれば、取付部材３０Ａに装着された電子機器１０Ａがガイド３１Ｇによって拘束される。すなわち、電子機器１０Ａは、ガイド３１Ｇ、特に折曲部Ｂと装着面３３によって拘束されて、装着面３３に垂直な方向の移動に対して拘束されている。
【００８５】
従って、例えば、電子機器１０Ａを盗難しようとする者が、装着面３３に垂直な方向に電子機器１０Ａを引っ張った場合には、折曲部Ｂが電子機器にかかる力を支持するので閂部材１７Ａに力は加わらない。よって、電子機器１０Ａが引っ張られることにより、閂部材１７Ａが破壊されることを防止することが可能である。また、閂部材１７Ａに力がかかりにくいため、閂部材１７Ａを必要以上に剛な部材とする必要がない。
【００８６】
また、上述のように、取付部材３０Ａに装着された電子機器１０Ａがガイド３１Ｇによって拘束されるため、取付部材３０Ａに装着した際の電子機器１０Ａの保持の安定性が高まる。すなわち、装着時の電子機器１０Ａのがたつき等を抑えることができる。よって、振動の多い移動体等において用いる場合においても、電子機器１０Ａのがたつきを防止することが可能である。
【００８７】
なお、取付部材３０Ａを移動体または建物の等の壁面または床面等の平面に取り付ける際、支持アームＳＰはなくとも良い。すなわち、取付部材３０Ａの基部３１を直接壁面または床面等に接着またはネジ止め等で取り付けてもよい。
【実施例３】
【００８８】
以下に本発明の実施例について詳細に説明する。以下の説明においては、電子装置を建物の壁面等に設置する例について説明する。本実施例においては、テレビやエアコン等の機器のリモートコントローラ等を建物の壁面に取り付ける際に用いることが可能な構成について説明する。なお、実施例３においては、電子装置の設置例については省略する。
【００８９】
図１０は、電子機器１０Ｂの前方斜視図である。実施例１の電子機器１０と同様に、電子機器１０Ｂは、略直方体の形状の中空の筐体１１からなっている。筐体１１の１つの面は通常操作面１３となっている。通常操作面１３には、使用者に情報を提示する表示部１３Ａ及び電子機器１０Ｂの機能を発揮させるための通常の操作を受け付ける第１の操作部としての主入力部１３Ｂ（図中一点鎖線内）が設けられている。表示部１３Ａは、例えば、液晶表示装置からなっている。主入力部１３Ｂは、１または複数のボタンからなっている。
【００９０】
図１１は、電子機器１０Ｂの後方斜視図である。筐体１１の通常操作面１３の反対側の面は、他の面としての取付面１５となっている。実施例１の電子機器１０と同様に、取付面１５には、取付面１５の中央から伸長する溝部１５Ａが設けられている。溝部１５Ａは、取付面１５の中央から、取付面１５の一辺に達するまで伸長している直方体凹部構造を形成している。溝部１５Ａの伸長方向に沿いかつ取付面１５と垂直な２つの面の各々には、互いに対向するように開口部Ｈが形成されている。
【００９１】
レール溝Ｖは、溝部１５Ａを溝部１５Ａを挟み込むように、溝部１５Ａの伸長方向と平行に伸長している溝構造である。レール溝Ｖは、その伸長方向と垂直な断面において鉤型すなわちＬ字型断面を有している。すなわち、レール溝Ｖは、鉤型の底面を有する柱状の凹部構造を形成している。
【００９２】
実施例１の電子機器１０と同様に、一方の開口部Ｈの近傍には、施錠機能部１７が設けられている。施錠機能部１７は、可動部としての円柱状のピンである閂部材１７Ａと当該閂部材を駆動する駆動部１７Ｂとを有している。閂部材１７Ａは、対向する２つの開口部の間の距離、すなわち、溝部１５Ａの幅よりも長い長さを有している。すなわち閂部材１７Ａは、一方の開口部から他方の開口部に向かっての２つの開口部を貫通して突出することが可能となっている。
【００９３】
駆動部１７Ｂは、例えばソレノイドである。閂部材１７Ａは、ソレノイドの可動鉄心（ブランジャー）に取り付けられ、当該閂部材１７Ａの円柱軸方向に移動させられる。駆動部１７Ｂは、閂部材１７Ａを開口部Ｈの両方を貫通して突出している突出位置と、筐体１１内に引き込まれている引込位置との間で移動させる。
【００９４】
電子機能部としての制御部１９は、ＣＰＵ及びメモリ等を有し、ルーチン等を実行可能であり、電源としても機能する機能部である。制御部１９は、例えば、ナビゲーション装置もしくはオーディオ装置として機能するか、または様々な装置のリモートコントローラとして機能する。
【００９５】
制御部１９は、表示部１３Ａと通信可能に接続され、表示部１３Ａに様々な告知表示を行うことが可能である。また、制御部１９は、主入力部１３Ｂと通信可能に接続され、主入力部１３Ｂへの操作入力に基づいて、様々な処理を行うことが可能である。
【００９６】
また、制御部１９は、施錠機能部１７と通信可能にかつ電力供給可能に接続されている。施錠機能部１７は、筐体１１内の任意の位置に配される制御部１９に接続され、制御部１９からの電力によってその動作が制御される。例えば、駆動部１７Ｂがソレノイドである場合、通常時、すなわち制御部１９から駆動部１７Ｂに電力が供給されていない場合、駆動部１７Ｂの可動鉄心は突出状態になっている。この際、閂部材１７Ａは、２つの開口部Ｈを貫通するように突出している突出位置にある（図１１の状態）。
【００９７】
動作時、すなわち制御部１９から駆動部１７Ｂに電力が供給されると、駆動部１７Ｂの可動鉄心は吸引状態にされる。この際、閂部材１７Ａは、駆動部１７Ｂに向かって引き込まれ、施錠機能部１７近傍の一方の開口部Ｈから筐体１１内に引き込まれた引込位置にある。すなわち、この際、閂部材１７Ａは筐体内から溝部に向かって突出していない。
【００９８】
第２の操作部としての副入力部２１（図中一点鎖線内）は、取付面１５の任意の領域に形成されている。副入力部２１は、例えば、１または複数のボタンからなっている。副入力部２１は、主入力部１３Ｂとは異なる操作に関する入力を受け付ける。副入力部２１は、例えば、電子機器１０Ｂの初期設定、リセットやその他の重要な設定に関する入力を行うための入力部であってもよい。
【００９９】
電池交換口２３は、取付面の任意の領域に形成されている。電池交換口２３は、電子機器１０Ｂに電力を供給する電池入れ部２３Ａを露出するように形成されている。
【０１００】
図１２は、取付部材３０Ｂの斜視図である。図３においては、電子機器１０Ｂと取付部材３０Ｂの取付状態の理解を容易にすべく、取付部材３０Ｂに取り付けられた際の電子機器１０Ｂを破線で示す。また、電子機器１０Ｂのうち、施錠機能部１７のみは実線で示している。また、また、電子機器１０Ｂの構成のうち、取付面１５に設けられている構造、すなわち溝部１５Ａ、開口部Ｈ、副入力部２１及びレール溝Ｖは、図の明瞭さのため図示していない。
【０１０１】
基部３１は、矩形の平面形状を有する板状の部材である。基部３１は、その一方の面が電子機器１０Ｂが装着される装着面３３となっている。すなわち、電子機器１０Ｂが取付部材３０Ｂに装着される際、取付面１５と装着面３３とが向かい合って接するようになされる。従って、当該装着状態下において、副入力部２１は、装着面３３によって覆い隠され、操作不能になっている。また、電池交換口２３も装着面３３によって覆い隠されており、電池交換口２３を取ることが不可能になっている。
【０１０２】
基部３１には、基部３１を貫通する取付孔３５が設けられている。取付孔３５には、例えば、取付部材３０Ｂを取付場所に取り付ける際にネジ等の固定具が挿入される。取付孔３５は、図示するように、例えば、基部３１の四隅に１つずつ、合わせて４つ形成することとしてもよい。基部３１は、移動体または建物の壁部等の取付面にネジまたは専用の治具等を用いて強固に接合されているのが好ましい。
【０１０３】
基部３１には、装着面３３の向かい合う２つの辺から装着面３３に対して垂直に立ち上がっている拘束部としてのレール部３１Ｒが形成されている。すなわち、レール部３１Ｒは、互いに向かい合って平行に、上記基部３１の向かい合う２つの辺に沿って各々伸長している。なお、図１２においては、一例として装着面３３の当該向かい合う２つの辺の端部から当該２つの辺の各々途中まで伸長しているレール部３１Ｒを示している。
【０１０４】
レール部３１Ｒは、その先端において、鉤型に折曲している折曲部Ｂ２を有している。レール部３１Ｒは、電子機器１０Ｂのレール溝Ｖに対応した形状を有している。すなわち、レール部３１Ｒは、レール溝Ｖが形成する柱状の凹構造とほぼ同一形状の鉤型形状の底面を有する柱状凸構造を有している。なお、レール部３１Ｒは、電子機器１０Ｂを取付部材３０Ｂに装着する際に、レール溝Ｖ内に挿入（嵌入）可能なように、レール溝Ｖが形成する直方体凹部構造よりもやや小さい直方体凸部形状を有している。
【０１０５】
従って、電子機器１０Ｂを取付部材３０Ｂに装着する際に、電子機器１０Ｂは、レール部３１Ｒに沿った方向のスライド移動のみが許容されている。
【０１０６】
基部３１の装着面３３には、装着面３３から垂直方向に突出している係合部としての突出部３７が設けられている。突出部３７は、装着面３３中央から、ガイド部３１の伸長方向にそって伸長して、装着面３３の１の辺まで達している。突出部３７は、電子機器１０Ｂの溝部１５Ａに対応する形状を有している。すなわち、突出部３７は、溝部１５Ａの直方体凹部形状とほぼ同一形状の直方体凸部形状を有している。
【０１０７】
なお、突出部３７は、電子機器１０Ｂを取付部材３０Ｂに装着する際に、溝部１５Ａ内に挿入（嵌入）可能なように、溝部１５Ａの直方体凹部形状よりもやや小さい直方体凸部形状を有している。すなわち、電子機器１０Ｂを取付部材３０Ｂに装着した際、突出部３７の全体が溝部１５Ａ内に嵌まり込み、突出部３７の側面が装着面３３の端部上の領域を除いて、溝部１５Ａによって外部から覆い隠される。
【０１０８】
さらに、この嵌め込み構造の故に、電子機器１０Ｂの装着時、突出部３７は溝部１５Ａと係合して、電子機器１０Ｂの基部３１の板面方向への移動を拘束している。なお、電子機器１０Ｂを取付部材３０Ｂに装着した際には、この際、取付面１５と装着面３３とが密着してもよい。
【０１０９】
突出部３７には、基部３１の表面と平行な方向において突出部３７を貫通している挿入孔３７Ａが設けられている。挿入孔３７Ａは、電子機器１０Ｂを取付部材３０Ｂに装着した際に、溝部１５Ａの開口部Ｈと重なる位置に形成されている。従って、図示したように、電子機器１０Ｂを取付部材３０Ｂに装着した際、閂部材１７Ａは、挿入孔３７Ａに挿入され得る。すなわち、電子機器１０Ｂを取付部材３０Ｂに装着した際、閂部材１７Ａは、一方の開口部Ｈ、挿入孔３７Ａ及び他方の開口部Ｈを通り抜けて突出することが可能となっている。
【０１１０】
実施例１の場合と同様に、電子機器１０Ｂを取付部材３０Ｂに装着した際、突出部３７の全体が溝部１５Ａ内に嵌まり込みむようになっている。従って、電子機器１０Ｂを取付部材３０Ｂに装着した際には、挿入孔３７Ａは電子機器１０Ｂの取付面１５によって外部から覆い隠されている。
【０１１１】
よって、電子機器１０Ｂを取付部材３０Ｂに装着している際には、外部から挿入孔１７Ａ及び挿入孔１７Ａに挿入されている閂部材１７Ａにアクセスすることは困難である。すなわち、電子機器１０Ｂと取付部材３０Ｂと施錠固定するための係合部分である閂部材１７Ａ及び挿入孔３７Ａとの係合部分に、外部からアクセスすることは困難である。
【０１１２】
電子機器１０Ｂが取付部材３０Ｂに装着されている際、閂部材１７Ａが突出位置にあり、挿入孔３７Ａに挿入されている限り、すなわち、挿入孔３７Ａを介して閂部材１７Ａと突出部３７が係合している限り、電子機器１０Ｂと取付部材３０Ｂとは脱離不能である。言い換えれば、制御部１９から施錠機能部１７に電力が供給されない限り、閂部材１７Ａは突出位置に維持され、電子機器１０Ｂを取付部材３０Ｂとは脱離不能である。この脱離不能な状態を施錠状態と称する。
【０１１３】
閂部材１７Ａが引込位置にある場合、閂部材１７Ａは挿入孔３７Ａから引き抜かれた状態となり、閂部材１７Ａと突出部３７とは非係合の状態となる。すなわち、制御部１９から施錠機能部１７に電力が供給され、閂部材１７Ａが引込位置に持ち来されると、電子機器１０Ｂへと取付部材３０Ｂとの係合が解除され脱離可能となる。この脱離可能な状態を解錠状態と称する。
【０１１４】
ここで、制御部１９の動作及びそれに伴う施錠機能部１７の動作について説明する。上述のように、通常時、制御部１９は、施錠機能部１７に電力を供給していない。従って、駆動部１７Ｂは駆動せず、閂部材１７Ａは突出位置にある。すなわち、この際、電子機器１０Ｂが取付部材３０Ｂに装着されている場合には、これらが脱離不可能な施錠状態となっている。
【０１１５】
この状態において、主入力部１３Ｂに予め定められた特定の入力がなされると、制御部１９は施錠機能部１７に電力の供給を開始する。この電力供給により、駆動部１７Ｂが駆動し、閂部材１７Ａが引込位置に持ち来されて、閂部材１７Ａと突出部３７との係合が解除される。これによって、電子機器１０Ｂが取付部材３０Ｂに装着されている場合には、これらが脱離可能な解錠状態にされる。
【０１１６】
なお。当該特定の入力は、主入力部にテンキー等の数字キーボタンが含まれている場合には、数字の組み合わせからなる暗号（暗証番号）の入力であってもよい。また、主入力部に数字、文字、記号等に対応するキーボタンが設けられている場合、当該特定の入力は、数字、文字もしくは記号等またはこれらの組み合わせからなる暗号の入力であってもよい。
【０１１７】
また、主入力部に、数字、文字または記号等に対応するキーボタンが設けられておらず、電子機器１０Ｂの通常の操作に関する操作ボタンのみが設けられている場合も考えられる。この場合には、当該特定の入力は、当該操作ボタンを特定の順序で押すことによる入力または当該操作ボタンの長押し等の入力であってもよい。これら、閂部材１７Ａを引込位置に持ち来すべくなされる特定の入力を解錠入力と称する。
【０１１８】
なお、主入力部１３Ｂに解錠入力がなされて閂部材１７Ａが引込位置に持ち来された後において、解錠入力と同一かまたは異なる特定の入力がなされると、制御部１９は、施錠機能部１７への電力の供給を停止し、閂部材１７Ａは突出位置に戻る。この閂部材１７Ａを引込位置に持ち来すべくなされる特定の入力を施錠入力と称する。この施錠入力は、施錠のための入力であるので、解錠入力よりも簡易な入力であり得る。すなわち、施錠入力は、解錠入力よりも簡単な暗号入力または操作入力であり得る。
【０１１９】
閂部材１７Ａを突出位置と引込位置とに移動させるために制御部１９において実行されるルーチンには、例えば、実施例１において図５を参照して説明したルーチン等を用いることができる。
【０１２０】
本実施例の電子装置によれば、実施例１の電子装置１と同様に、電子機器１０Ｂの主入力部１３Ｂに予め定められた特定の入力を行わないと、電子機器１０Ｂと取付部材３０Ｂとの施錠固定が解除されない。従って、当該特定の入力を知り得る特定の者のみが電子機器１０Ｂを取り外すことが可能となり、電子機器の盗難を防止することが可能である。
【０１２１】
また、本実施例の電子装置によれば、電子機器１０Ｂを取付部材３０Ｂに装着している際に、これらを互いに施錠固定するための係合部分である閂部材１７Ａ及び挿入孔３７Ａとの係合部分に、外部からアクセスすることは困難である。すなわち、外部から器具をもって電子機器１０Ｂを取付部材３０Ｂから取り外すことは困難であり、器具を用いた電子機器の盗難を防止することが可能である。
【０１２２】
また、本実施例の電子装置によれば、通常操作面と異なる面である取付面に副入力部２１及び電池交換口２３が設けられている。上述のように、電子機器１０Ｂを取付部材３０Ｂに装着している際に、副入力部２１及び電池交換口２３は取付面１５と向かい合う装着面３３によって外部から覆い隠される。すなわち、副入力部２１への入力及び電池の取り出しは、電子機器１０Ｂを取付部材３０Ｂから取り外さなければ行うことが出来ない。
【０１２３】
従って、例えば、副入力部２１によって、特別な操作（機器のリセット、重要な設定等）を行うことができることとした際には、当該特別な操作は、電子機器１０Ｂを取付部材３０Ｂから取り外すことができる者しか行えない。すなわち、上記施錠固定を解除する特定の入力を知るものでなければ、当該特別な操作を行えない。
【０１２４】
従って、当該特別な操作を行うべき者のみに当該特定の入力を教えておくことで、不特定人が当該特別な操作を行うことを防止することができる。また、悪戯による電池の取り出しも防止することが出来る。
【０１２５】
また、電子機器１０Ｂ自体が建物の壁面等にネジ等の固定具や専用の治具を用いて固定されていないため、解錠入力することで容易に取り外しが出来る。例えば、公共の施設などのテレビやエアコン等の機器のリモートコントロールの管理者が必要に応じて容易に電子機器１０Ｂを取付部材３０Ｂから取り外すことができ、特別な操作（機器のリセット、重要な設定等）を行うことができる。  さらに、実施例３の電子装置によれば、取付部材３０Ｂに装着された際に電子機器１０Ｂのレール溝Ｖと取付部材３０Ｂのレール部３１Ｒとが係合する。すなわち、レール部３１Ｒによって電子機器１０Ｂが拘束される。すなわち、電子機器１０Ｂは、レール部３１Ｒによって拘束されて、装着面３３に垂直な方向に拘束されている。
【０１２６】
従って、例えば、電子機器１０Ｂを盗難しようとする者が、装着面３３に垂直な方向に電子機器１０Ｂを引っ張った場合には、レール部３１Ｒ（特に折曲部Ｂ２）が電子機器にかかる力を支持するので閂部材１７Ａに力は加わらない。よって、電子機器１０Ｂが引っ張られることにより、閂部材１７Ａが破壊されることを防止することが可能である。また、閂部材１７Ａに力がかかりにくいため、閂部材１７Ａを必要以上に剛な部材とする必要がない。
【０１２７】
また、上述のように、取付部材３０Ｂに装着された電子機器１０Ｂがレールガイド３１Ｒによって拘束されため、取付部材３０Ｂに装着した際の電子機器１０Ｂの保持の安定性が高まる。すなわち、装着時の電子機器１０Ｂのがたつき等を抑えることができる。よって、振動の多い移動体等において用いる場合においても、電子機器１０Ｂのがたつきを防止することが可能である。
【０１２８】
上記各実施例においては、それぞれ電子装置を移動体または建物の壁部等の場所に取り付ける例について説明したが、取付場所は上記例に限られない。各実施例の電子装置は、各実施例の取付部材３０、３０Ａ、３０Ｂが取り付け可能な場所なら、どのような場所にも取り付けることが可能である。
【０１２９】
また、上記実施例の電子装置１０、１０Ａ、１０Ｂの取付面１５及び取付部材３０、３０Ａ、３０Ｂの装着面に電極を形成し、電子装置１０、１０Ａ、１０Ｂへの電源供給を行ってもよい。
【０１３０】
図１３に、実施例１の電子装置１を例にして電極形成の例を示す。電極ＥＰは、電子装置１０の取付面１５の任意の領域に形成されている。電極ＥＰ（図中一点鎖線内）は、電子機器１０の取付部材３０（図３参照）への装着時に取付部材の装着面に形成された電極（図示せず）に接触するように形成される。すなわち、電子機器１０は、取付部材３０に装着された際に取付部材３０から電力の供給を受けることが可能になっている。
【０１３１】
このようにすることで、取付部材に電子装置を取り付けた際に、電源配線を外に曝す必要がなくなるので、電源配線に対する悪戯も防止することが可能である。
【０１３２】
上記実施例において、閂部材１７Ａは円柱状であるとしたが、閂部材１７Ａは、開口部Ｈ及び挿入孔３７Ａを通過可能な形状であれば、多角柱状等の他の形状であってもよい。
【０１３３】
また、上記実施例において、挿入孔３７Ａが貫通孔である例について説明したが、挿入孔は必ずしも貫通孔でなくともよい。例えば、挿入孔３７Ａが非貫通の凹部であってもよい。この場合、開口部Ｈは、溝部１５Ａの施錠機能部側の側面にのみ形成されていればよい。
【０１３４】
また、上記実施例においては、駆動部１７Ｂがソレノイドである場合を例に説明したが、駆動部１７Ｂはソレノイドに限られない。すなわち、駆動部１７Ｂは、閂部材１７Ａを移動させることが可能であれば他の駆動機構であってもよい。例えば、駆動部１７Ｂは、モータとギアとの組み合わせによって閂部材１７Ａを移動させる機構であってもよい。
【０１３５】
また、電子機器１０、１０Ａ、１０Ｂに音声入力手段を設け、施錠入力及び解錠入力を声等の音声入力としてもよい。
【０１３６】
上述した実施例における種々の構成、形状等は、例示に過ぎず、用途等に応じて、適宜選択または組み合わせることができる。
【符号の説明】
【０１３７】
１、２                    電子装置
１０、１０Ａ、１０Ｂ      電子機器
１１                      筐体
１３                      通常操作面
１３Ａ                    表示部
１３Ｂ                    主操作部
１５                      取付面
１５Ａ                    溝部
１７                      施錠機能部
１７Ａ                    閂部材
１７Ｂ                    駆動部
１９                      制御部
２１                      副入力部
２３                      電池交換口
３０、３０Ａ、３０Ｂ      取付部材
３１                      基部
３１Ｒ                    レール部
３３                      装着面
３５                      取付孔
３７                      突出部
３７Ａ                    挿入孔
Ｈ                        開口部
ＳＰ                      支持アーム
Ｖ                        レール溝
ＥＰ                      電極
【図１】
2017107901.tif 000003
【図２】
2017107901.tif 000004
【図３】
2017107901.tif 000005
【図４】
2017107901.tif 000006
【図５】
2017107901.tif 000007
【図６】
2017107901.tif 000008
【図７】
2017107901.tif 000009
【図８】
2017107901.tif 000010
【図９】
2017107901.tif 000011
【図１０】
2017107901.tif 000012
【図１１】
2017107901.tif 000013
【図１２】
2017107901.tif 000014
【図１３】
2017107901.tif 000015